【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
ネットワーク上の複数のアプリケーション・サーバにより制御されるネットワーク・アプリケーションへの移動端末のアクセスを容易にするための方法であって、
前記ネットワーク・アプリケーションに対応するアプリケーション識別子と、前記複数のアプリケーション・サーバの１つのアプリケーション・サーバ・アドレスを含むような関連付けられたアプリケーション・アクセス・パラメータとをプロビジョニング情報に埋め込むステップと、
プロビジョニング手順に関連して前記プロビジョニング情報を少なくとも１つの移動端末に転送するステップと、
前記プロビジョニング情報と共に提供される前記アプリケーション・サーバ・アドレスにより識別されたアプリケーション・サーバを介しての前記ネットワーク・アプリケーションへのアクセスを容易にするために前記移動端末のプロビジョニングを行うステップとを有する方法。
【請求項２】
前記アプリケーション識別子を認識するために、前記移動端末においてソフトウェアモジュールを前もって構成するステップと、前記ソフトウェアモジュールを用いて、前記アプリケーション・サーバ・アドレスに対応するアプリケーション・サーバを介して前記ネットワーク・アプリケーションに対するアクセスを実行するステップとをさらに有する請求項１に記載の方法。
【請求項３】
前記移動端末において１つまたは２つ以上のユーザ・エージェントを提供するステップと、前記アプリケーション識別子を認識し、かつ、前記ネットワーク・アプリケーションに対するアクセスを実行する際に１つまたは２つ以上の関連付けられた前記アプリケーション・アクセス・パラメータを利用するために、前もって構成される少なくとも１つの前記ユーザ・エージェントを用いて前記ネットワーク・アプリケーションに対するアクセスを実行するステップとをさらに有する請求項１に記載の方法。
【請求項４】
前記移動端末によりアドレス付けがなされたアプリケーション・サーバにおいて前記ネットワーク・アプリケーションに対するアクセスを実行するステップをさらに有する請求項１に記載の方法。
【請求項５】
前記プロビジョニング情報を転送するステップは、プロビジョニング・ソースから前記ネットワークを介して前記移動端末に前記プロビジョニング情報を伝送するステップを含む請求項１に記載の方法。
【請求項６】
前記プロビジョニング・ソースから前記プロビジョニング情報を伝送するステップは、プッシュ・プロビジョニング・プロセスを介して前記プロビジョニング情報を前記ネットワーク上に伝送するステップを含む請求項５に記載の方法。
【請求項７】
前記プッシュ・プロビジョニング・プロセスを介して前記プロビジョニング情報を伝送するステップは、ワイヤレス・アプリケーション・プロトコル（ＷＡＰ）方式のプッシュ・プロビジョニング手順を介して前記プロビジョニング情報を伝送するステップを含む請求項６に記載の方法。
【請求項８】
前記プロビジョニング情報を転送するステップは、前記プロビジョニング情報を格納する構成要素を前記移動端末に設けるステップを含む請求項１に記載の方法。
【請求項９】
前記移動端末に構成要素を設けるステップは、加入者識別用モジュール（ＳＩＭ）、ＷＡＰ識別用モジュール（ＷＩＭ）、およびスマートカードのうちの１つを前記移動端末に電気的に結合するステップを含む請求項８に記載の方法。
【請求項１０】
ネットワーク接続可能性設定を、前記アプリケーション・サーバ・アドレスにより識別される前記アプリケーション・サーバを介してアクセスが実行されるべきネットワーク・アプリケーションに関連付けるステップをさらに有する請求項１に記載の方法。
【請求項１１】
前記ネットワーク接続可能性設定を前記ネットワーク・アプリケーションに関連付けるステップは、サービス品質、ネットワーク・アクセス・ポイント・パラメータ設定、およびプロキシ・パラメータ設定のうちの１つまたは２つ以上を前記ネットワーク・アプリケーションに関連付けるステップを含む請求項１０に記載の方法。
【請求項１２】
前記ネットワーク・アプリケーションへのアクセスを容易にするために前記移動端末のプロビジョニングを行うステップは、前記移動端末と前記アプリケーション・サーバ・アドレスにより識別される前記アプリケーション・サーバとの間の接続のアクセス特性を、１つまたは２つ以上の関連付けられた前記アプリケーション・アクセス・パラメータを用いて識別するステップをさらに含む請求項１に記載の方法。
【請求項１３】
関連付けられた前記アプリケーション・アクセス・パラメータは、認証証明書、アプリケーション・サーバにより要望されるコンテントタイプ、およびアプリケーション・サーバにより要求されるコンテントタイプのうちの１つまたは２つ以上を含む請求項１２に記載の方法。
【請求項１４】
関連付けられた前記アプリケーション・アクセス・パラメータは、前記ネットワーク・アプリケーションの使用を可能にする少なくとも１つのアプリケーション・アクセス・ユーザ・エージェントのダウンロードに用いられる情報を含む請求項１２に記載の方法。
【請求項１５】
前記情報を用いて前記移動端末内に常駐のユーザ・エージェントを呼び出すステップをさらに有しており、前記常駐のユーザ・エージェントは、前記情報を用いた呼び出しに応答して、前記アプリケーション・アクセス・ユーザ・エージェントのダウンロードを実行する請求項１４に記載の方法。
【請求項１６】
前記アプリケーション・アクセス・ユーザ・エージェントを前記移動端末にダウンロードするステップと、
前記アプリケーション・アクセス・ユーザ・エージェントを用いて、前記アプリケーション・サーバ・アドレスに対応するアプリケーション・サーバを介して前記ネットワーク・アプリケーションに対するアクセスを実行するステップとをさらに有する請求項１４に記載の方法。
【請求項１７】
ダウンロードされた前記アプリケーション・アクセス・ユーザ・エージェントは、前記アプリケーション・サーバ・アドレスを識別するために前記アプリケーション識別子を認識するように前もって構成されていない場合、前記アプリケーション識別子を認識するように、ダウンロードされた前記アプリケーション・アクセス・ユーザ・エージェントを構成するステップをさらに含む請求項１６に記載の方法。
【請求項１８】
前記アプリケーション・サーバ・アドレスを識別するために、ダウンロードされた前記アプリケーション・アクセス・ユーザ・エージェントは、前記アプリケーション識別子を認識するように前もって構成される請求項１６に記載の方法。
【請求項１９】
関連付けられた前記アプリケーション・アクセス・パラメータは、前記ネットワーク・アプリケーションと通信するためのアクセス・プロトコルの識別、および前記アクセス・プロトコルのバージョンのうちの１つまたは２つ以上を含む請求項１２に記載の方法。
【請求項２０】
関連付けられた前記アプリケーション・アクセス・パラメータは、前記アプリケーション・サーバ・アドレスにより識別されるアプリケーション・サーバにより制御されるようなネットワーク・アプリケーション上で利用可能なアプリケーション・リソースの指定を含む請求項１２に記載の方法。
【請求項２１】
関連付けられた前記アプリケーション・アクセス・パラメータは、ネットワーク・アプリケーション上で利用可能な前記アプリケーション・リソースのための人間により読み取り可能なラベルをさらに含む請求項２０に記載の方法。
【請求項２２】
前記アプリケーション識別子、および関連付けられた前記アプリケーション・アクセス・パラメータを前記プロビジョニング情報に埋め込むステップは、前記アプリケーション識別子、および関連付けられた前記アプリケーション・アクセス・パラメータを、拡張可能マークアップ言語（ＸＭＬ）のプロビジョニング・ドキュメント、および前記ＸＭＬのプロビジョニング・ドキュメントの符号化フォームのうちの１つに埋め込むステップを含む請求項１に記載の方法。
【請求項２３】
前記アプリケーション識別子、および関連付けられた前記アプリケーション・アクセス・パラメータを前記プロビジョニング情報に埋め込むステップは、前記アプリケーション識別子、および関連付けられた前記アプリケーション・アクセス・パラメータを、１つまたは２つ以上のプロビジョニング情報パケットのプロビジョニング情報ペイロードに埋め込むステップを含む請求項１に記載の方法。
【請求項２４】
アプリケーション識別子は、ＷＡＰプッシュ仕様により規定されたアプリケーション識別子（ＩＤ）を含む請求項１に記載の方法。
【請求項２５】
前記アプリケーション識別子は、インターネット登録ポート番号を含む請求項１に記載の方法。
【請求項２６】
前記アプリケーション識別子は、前記ネットワーク・アプリケーションを識別するために、前記移動端末および前記複数のアプリケーション・サーバにおいて前もって構成されたユニフォーム・リソース識別子（ＵＲＩ）を含む請求項１に記載の方法。
【請求項２７】
前記ネットワーク・アプリケーションは、前記複数のアプリケーション・サーバの各々にて利用可能な標準化されたアプリケーションを含む請求項１に記載の方法。
【請求項２８】
前記プロビジョニング手順は、前記移動端末の初期構成の際に、前記アプリケーション識別子、および関連付けられた前記アプリケーション・アクセス・パラメータを提供するブートストラップ・プロビジョニング・プロセスを含む請求項１に記載の方法。
【請求項２９】
前記プロビジョニング手順は、ブートストラップ・プロビジョニング・プロセスの後に、前記アプリケーション識別子、および関連付けられた前記アプリケーション・アクセス・パラメータを提供する再プロビジョニング・プロセスを含む請求項１に記載の方法。
【請求項３０】
前記プロビジョニング手順は、新規のサービスおよび改良されたサービスのうちの１つまたは２つ以上のための前記移動端末のプロビジョニングに関連して実行される請求項１に記載の方法。
【請求項３１】
前記アプリケーション・サーバ・アドレスは、ネットワーク・アドレス、および前記移動端末によるアクセスが実行されるべきアプリケーション・サーバのホスト名のうちの１つを含む請求項１に記載の方法。
【請求項３２】
前記アプリケーション・サーバ・アドレスは、前記移動端末によるアクセスが実行されるべきアプリケーション・サーバ上で制御されるユニフォーム・リソース・ロケータ（ＵＲＬ）を含む請求項１に記載の方法。
【請求項３３】
前記ＵＲＬは、前記アプリケーション・サーバ・アドレスのほかにパスを含む請求項３２に記載の方法。
【請求項３４】
ネットワーク上の複数のアプリケーション・サーバを介して利用可能な目標とするアプリケーションへの移動端末のアクセスを容易にするためのシステムであって、
１つまたは２つ以上のプロビジョニング・ファイルを提供するためのプロビジョニング要素を備え、前記プロビジョニング・ファイルの少なくとも１つが、目標とするアプリケーションに対応するアプリケーション識別子、および前記アプリケーション識別子に関連付けられたアプリケーション・アクセス・パラメータを含み、前記アプリケーション・アクセス・パラメータの少なくとも１つが、前記複数のアプリケーション・サーバの１つのアプリケーション・サーバ・アドレスを含んでなり、
前記システムは、さらに、埋め込まれたアプリケーション識別子をプロビジョニング・ファイルの受信時に認識し、かつ、前記アプリケーション識別子に関連付けられた１つまたは２つ以上のアプリケーション・アクセス・パラメータにより規定されるようなアプリケーション・サーバ・アドレスにおいて目標とするアプリケーションに対するアクセスを実行するように、前もって構成されている移動端末を備えるシステム。
【請求項３５】
プロビジョニング・ネットワーク要素が、前記ネットワークに結合されかつ前記ネットワークを介した転送を開始する前記移動端末にプロビジョニング・ファイルを転送するためにプル技術を実行するプロビジョニング・サーバを含む請求項３４に記載のシステム。
【請求項３６】
プロビジョニング・ネットワーク要素が、前記ネットワークに結合されかつ前記ネットワークを介して前記移動端末にプロビジョニング・ファイルを押し込むためにプッシュ技術を実行するプロビジョニング・サーバを含む請求項３４に記載のシステム。
【請求項３７】
前記移動端末は、ワイヤレス・アプリケーション・プロトコル（ＷＡＰ）準拠デバイスを含む請求項３６に記載のシステム。
【請求項３８】
前記プロビジョニング・サーバが動作する第１のネットワーク・ドメインと、前記ＷＡＰ準拠デバイスが動作するＷＡＰネットワーク・ドメインとの間に結合されるプッシュ・プロキシ・ゲートウェイ（ＰＰＧ）をさらに含む請求項３７に記載のシステム。
【請求項３９】
前記アプリケーション識別子は、ＷＡＰプッシュ仕様により規定されたアプリケーション識別子（ＩＤ）を含む請求項３７に記載のシステム。
【請求項４０】
前記アプリケーション識別子は、インターネット登録ポート番号を含む請求項３４に記載のシステム。
【請求項４１】
前記アプリケーション識別子は、目標とするアプリケーションを識別するために、前記移動端末および前記複数のアプリケーション・サーバにおいて前もって構成されたユニフォーム・リソース識別子（ＵＲＩ）を含む請求項３４に記載のシステム。
【請求項４２】
プロビジョニング・ネットワーク要素が、前記プロビジョニング・ファイルを格納する構成要素を含む請求項３４に記載のシステム。
【請求項４３】
前記構成要素は、加入者識別用モジュール（ＳＩＭ）、ＷＡＰ識別用モジュール（ＷＩＭ）、およびスマートカードのうちの１つを含む請求項４２に記載のシステム。
【請求項４４】
前記移動端末は、ワイヤレス電話、パーソナル・ディジタル・アシスタント（ＰＤＡ）、およびモバイルコンピュータのうちの１つを含む請求項３４に記載のシステム。
【請求項４５】
前記移動端末は、埋め込まれたアプリケーション識別子を認識し、目標とするアプリケーションに対するアクセスを実行し、目標とするアプリケーションに対するアクセスを実行するときに、１つまたは２つ以上のアプリケーション・アクセス・パラメータを利用するように、前もって構成された少なくとも１つのユーザ・エージェントを含む請求項３４に記載のシステム。
【請求項４６】
前記移動端末により読み取り可能な搬送波に埋め込まれ、かつ、プロビジョニング情報を符号化するデータ信号を伝送するプロビジョニング・サーバを含むネットワーク要素であって、前記プロビジョニング情報は、複数のアプリケーション・サーバにより制御され標準化されたネットワーク・アプリケーションに対応するアプリケーション識別子を含み、前記プロビジョニング情報は、前記アプリケーション識別子に関連付けられた複数のアプリケーション・アクセス・パラメータをさらに含み、前記複数のアプリケーション・アクセス・パラメータの少なくとも１つは、前記複数のアプリケーション・サーバの１つのアプリケーション・サーバ・アドレスであり、前記複数のアプリケーション・サーバにおいては、移動端末におけるデータ信号の受信者が、標準化された前記ネットワーク・アプリケーションに対するアクセスを実行することが可能であるネットワーク要素。
【請求項４７】
ネットワーク上の複数のアプリケーション・サーバにより制御されるネットワーク・アプリケーションへの移動端末のアクセスを容易にするためのコンピュータ実行可能な命令を有しているコンピュータ読み取り可能な媒体であって、前記コンピュータ実行可能な命令は、
前記ネットワーク・アプリケーションに対応するアプリケーション識別子と、前記複数のアプリケーション・サーバの１つのアプリケーション・サーバ・アドレスを含むような関連付けられたアプリケーション・アクセス・パラメータとをプロビジョニング情報に埋め込むステップと、
プロビジョニング手順に関連して前記プロビジョニング情報を少なくとも１つの移動端末に転送するステップと、
前記プロビジョニング情報と共に提供される前記アプリケーション・サーバ・アドレスにより識別されたアプリケーション・サーバを介しての前記ネットワーク・アプリケーションへのアクセスを容易にするために前記移動端末のプロビジョニングを行うステップとを実行するコンピュータ読み取り可能な媒体。
【請求項４８】
ネットワークに結合された複数のアプリケーション・サーバを介して利用可能な目標とするアプリケーションに対するアクセスを実行することが可能な移動端末であって、
前記移動端末は、目標とするアプリケーションに対応するアプリケーション識別子と、前記複数のアプリケーション・サーバの１つのアプリケーション・サーバ・アドレスとを少なくとも含むような少なくとも１つのプロビジョニング・ファイルを受信するために、前記ネットワークを介してプロビジョニング・ネットワーク要素に結合されており、
前記移動端末は、さらに、前記プロビジョニング・ファイルの受信時に前記アプリケーション識別子を認識するように構成され、かつ、前記アプリケーション・サーバ・アドレスに対応するアプリケーション・サーバにおいて目標とするアプリケーションに対するアクセスを実行するように構成されているユーザ・エージェントを含む移動端末。